(57)【要約】【課題】少ない空気の流量で、高い圧力の空気を円筒穴の内側表面へ均一に吹き付ける。【解決手段】ノズル３０は、円筒穴の内側表面の近傍に位置する吹き出し口３０ａから、円筒穴の内側表面へ所定の角度で斜めに空気を吹き付ける。ノズル３０は吹き付けた空気の反作用を受け、これによりケーシング２４の内部の回転パイプ２５は、ノズル３０と共に高速で回転する。流量制御バルブ１０を用いてノズル３０へ供給される空気の流量を制御して、ノズル３０から吹き付けられる空気の圧力及びノズル３０の回転速度を調整する。ノズル３０を回転させながら、移動機構５０を駆動してノズル３０を円筒穴の深さ方向に移動させることにより、円筒穴の内側表面全体のエアブローを行う。【選択図】図１
2005046725.tif 000002
【特許請求の範囲】
【請求項１】
円筒穴に挿入され、円筒穴の内側表面の近傍から円筒穴の内側表面へ所定の角度で斜めに空気を吹き付けるノズルと、
円筒穴の深さ方向に回転軸を有し、前記ノズルへ空気を供給する空気通路を有する回転手段と、
前記ノズルを円筒穴の深さ方向に移動させる移動手段と、
前記ノズルへ供給される空気の流量を制御する制御手段とを備え、
前記回転手段は、前記ノズルから円筒穴の内側表面へ吹き付けた空気の反作用で前記ノズルと共に回転することを特徴とするエアブロワ。
【請求項２】
前記ノズルの空気を吹き付ける方向と反対側の位置に、つり合いおもりを備えたことを特徴とする請求項１に記載のエアブロワ。
【請求項３】
請求項１又は請求項２に記載のエアブロワを用いて、円筒穴の内側表面をエアブローすることを特徴とする円筒穴の内側表面の清掃方法。
【発明の詳細な説明】
【技術分野】
【０００１】
本発明は、自動車用エンジンのシリンダブロックのボア等のような円筒穴の内側表面を清掃するのに好適なエアブロワ、及びそれを用いた円筒穴の内側表面の清掃方法に関する。
【背景技術】
【０００２】
一般に、自動車用エンジンのシリンダブロックは、ダイカストによって製造され、製造後にボアの内側表面に巣や傷等の欠陥がないかどうかの検査が行われる。このようなボアの内側表面の欠陥を検査する装置として、特許文献１に記載のものがある。
【０００３】
特許文献１に記載のような装置を用いて検査を行う前には、ボアの内側表面を洗浄液で洗浄した後、エアブローを行って洗浄液及び塵埃を除去するのが望ましい。従来、シリンダブロックのボア等のような円筒穴の内側表面をエアブローする場合、空気を均一に吹き付けるために、エアブロワのノズルの内部にディフレクターやベーン等を設け、ノズルの先端から空気を円錐状又は釣鐘状に拡散させてエアブローを行っていた。空気を拡散させるため、空気の圧力が低下し、また大きな空気の流量が必要であった。
【特許文献１】特開平９−３１１１０７号公報
【発明の開示】
【発明が解決しようとする課題】
【０００４】
本発明の第１の課題は、少ない空気の流量で、高い圧力の空気を円筒穴の内側表面へ均一に吹き付けることである。また、本発明の第２の課題は、円筒穴の内側表面をエアブローする際に、簡単な構造で、空気の圧力の調整を容易にすることである。
【課題を解決するための手段】
【０００５】
本発明のエアブロワは、円筒穴に挿入され、円筒穴の内側表面の近傍から円筒穴の内側表面へ所定の角度で斜めに空気を吹き付けるノズルと、円筒穴の深さ方向に回転軸を有し、ノズルへ空気を供給する空気通路を有する回転手段と、ノズルを円筒穴の深さ方向に移動させる移動手段と、ノズルへ供給される空気の流量を制御する制御手段とを備え、回転手段が、ノズルから円筒穴の内側表面へ吹き付けた空気の反作用でノズルと共に回転するものである。
【０００６】
円筒穴に挿入したノズルから、円筒穴の内側表面へ所定の角度で斜めに空気を吹き付けると、ノズルは反作用を受け、これにより回転手段はノズルと共に高速で回転する。ノズルから吹き付けられる空気の圧力及びノズルの回転速度は、制御手段を用いてノズルへ供給される空気の流量を制御することにより調整される。移動手段は、高速で回転しながら空気を吹き付けるノズルを、円筒穴の深さ方向に移動させる。
【０００７】
さらに、本発明のエアブロワは、ノズルの空気を吹き付ける方向と反対側の位置に、つり合いおもりを備えたものである。
【０００８】
本発明の円筒穴の内側表面の清掃方法は、上記のいずれかのエアブロワを用いて、円筒穴の内側表面をエアブローするものである。
【発明の効果】
【０００９】
本発明のエアブロワによれば、吹き付けた空気の反作用によってノズルが高速で回転するので、空気を円筒穴の内側表面へ均一に吹き付けることができる。ノズルは、円筒穴の内側表面の近傍から空気を吹き付け、かつ空気を拡散させる必要がないので、少ない空気の流量で、高い圧力の空気を吹き付けることができる。また、ノズルから吹き付けられる空気の圧力及びノズルの回転速度は、ノズルへ供給される空気の流量を制御することにより調整できるので、簡単な構造で、空気の圧力の調整を容易に行うことができる。
【００１０】
さらに、本発明のエアブロワによれば、つり合いおもりを設けることにより、回転手段の回転を滑らかにすることができる。従って、円筒穴の内側表面へ空気をさらに均一に吹き付けることができる。
【００１１】
本発明の円筒穴の内側表面の清掃方法によれば、少ない空気の流量で、高い圧力の空気を円筒穴の内側表面へ均一に吹き付けることができるので、円筒穴の内側表面の水滴や塵埃等を短時間で効果的に除去することができる。
【発明を実施するための最良の形態】
【００１２】
図１（ａ）は、本発明の一実施の形態によるエアブロワの一部断面側面図である。エアブロワは、流量制御バルブ１０、供給パイプ２１、カバー２２、固定パイプ２３、ケーシング２４、回転パイプ２５、ベアリング２６、ねじ２７、リング２８、クランプ２９、ノズル３０、つり合いおもり４０、及び移動機構５０を含んで構成されている。
【００１３】
圧搾空気が、図示しないエアポンプから、流量制御バルブ１０及び供給パイプ２１を通って、カバー２２へ供給される。カバー２２の側面には供給パイプ２１が接続され、底面には固定パイプ２３が接続されている。供給パイプ２１と固定パイプ２３は、カバー２２の内部に設けた空気通路２２ａで繋がっている。
【００１４】
一方、ケーシング２４は中空になっており、内部には回転パイプ２５が２つのベアリング２６により回転可能に支持されている。ケーシング２４は、カバー２２のフランジ２２ｂにねじ２７で固定されている。
【００１５】
回転パイプ２５の上端には、回転パイプ２５が回転するための隙間を持って、固定パイプ２３の下端が挿入されている。そして、その外側には、回転パイプ２５がケーシング２４の内部で上下方向に移動するのを規制するために、リング２８が取り付けられている。
【００１６】
回転パイプ２５の下端には、ノズル３０が接続されている。図１（ｂ）は、回転パイプとノズルの接続を示す斜視図である。図１（ｂ）に示すように、回転パイプ２５の下端にはスリット２５ａが設けられている。ノズル３０は、回転パイプ２５のスリット２５ａを設けた部分へ矢印に示す方向から挿入され、その上から２つのクランプ２９で締め付けられる。２つのクランプ２９は、図示しないねじで固定される。
【００１７】
カバー２２へ供給された圧搾空気は、固定パイプ２３から回転パイプ２５を通ってノズル３０へ供給され、ノズル３０の吹き出し口３０ａから吹き出される。ノズル３０の吹き出し口３０ａと反対側の位置には、つり合いおもり４０が取り付けられている。また、カバー２２の上面にはエアシリンダ等に連結された移動機構５０が取り付けられており、移動機構５０は、カバー２２及びそれに固定されたケーシング２４を上下させることにより、ノズル３０を図面縦方向に移動させる。
【００１８】
図２は、本発明の円筒穴の内側表面の清掃方法を示す上面図である。なお、図２では、図１のカバー２２の上面より下の部分が示されており、カバー２２の上面に取り付けられた移動機構５０は省略されている。
【００１９】
エアシリンダ等により図示を省略した移動機構５０を駆動して、円筒穴の上方からエアブロワを円筒穴に挿入すると、ノズル３０の吹き出し口３０ａは、円筒穴の内側表面１の近傍に位置し、回転パイプ２５の回転軸は、円筒穴の深さ方向（図面奥行き方向）に位置する。
【００２０】
供給パイプ２１へ圧搾空気を供給すると、ノズル３０は、吹き出し口３０ａから円筒穴の内側表面１へ所定の角度で斜めに空気を吹き付ける。このとき、ノズル３０は吹き付けた空気の反作用を受け、これにより回転パイプ２５は、ノズル３０と共に矢印で示す方向へ高速で回転する。流量制御バルブ１０を用いてノズル３０へ供給される空気の流量を制御して、ノズル３０から吹き付けられる空気の圧力及びノズル３０の回転速度を調整する。ノズル３０を回転させながら、移動機構５０を駆動してノズル３０を円筒穴の深さ方向に移動させることにより、円筒穴の内側表面１全体のエアブローを行う。
【００２１】
以上説明した実施の形態によれば、吹き付けた空気の反作用によってノズル３０が高速で回転するので、空気を円筒穴の内側表面１へ均一に吹き付けることができる。ノズル３０は、円筒穴の内側表面１の近傍から空気を吹き付け、かつ従来の様に空気を拡散させる必要がないので、少ない空気の流量で、高い圧力の空気を吹き付けることができる。また、ノズル３０から吹き付けられる空気の圧力及びノズル３０の回転速度は、ノズル３０へ供給される空気の流量を制御することにより調整できるので、簡単な構造で、空気の圧力の調整を容易に行うことができる。
【００２２】
さらに、以上説明した実施の形態によれば、つり合いおもり４０を設けることにより、回転パイプ２５の回転を滑らかにすることができる。従って、円筒穴の内側表面１へ空気をさらに均一に吹き付けることができる。
【００２３】
さらに、以上説明した実施の形態によれば、回転パイプ２５にスリット２５ａを設け、ノズル３０を挿入してクランプ２９で固定することにより、ノズル３０の回転パイプ２５への着脱を容易に行うことができる。従って、円筒穴の内径に合わせてノズル３０を容易に交換することができ、各種の大きさの円筒穴に対応することができる。
【００２４】
以上説明した実施の形態によれば、少ない空気の流量で、高い圧力の空気を円筒穴の内側表面１へ均一に吹き付けることができるので、円筒穴の内側表面１の水滴や塵埃等を短時間で効果的に除去することができる。
【図面の簡単な説明】
【００２５】
【図１】図１（ａ）は本発明の一実施の形態によるエアブロワの一部断面側面図、図１（ｂ）は回転パイプとノズルの接続を示す斜視図である。
【図２】本発明の円筒穴の内側表面の清掃方法を示す上面図である。
【符号の説明】
【００２６】
１  円筒穴の内側表面
１０  流量制御バルブ
２１  供給パイプ
２２  カバー
２３  固定パイプ
２４  ケーシング
２５  回転パイプ
２６  ベアリング
２７  ねじ
２８  リング
２９  クランプ
３０  ノズル
４０  つり合いおもり
５０  移動機構
【図１】
2005046725.tif 000003
【図２】
2005046725.tif 000004